(57)【要約】【課題】電源投入用のスイッチ以外の回路に影響を及ぼす磁力等の力を用いることなく、回路を液密に覆うカプセルの外部からの操作によって電源投入用のスイッチを投入することができるカプセル内視鏡を、提供する。【解決手段】カプセル内視鏡１のカプセル１０内では、バッテリー２２０と回路系２６との間の電源電流供給線の途中に、電源スイッチ回路２４が介在されている。この電源スイッチ回路２４は、光を受光することによって電流を流すフォトダイオード２４２と、このフォトダイオード２４２が流した電流をトリガとして電源電流供給線上の電源電流の流れを許容するサイリスタ２４１とから、構成されている。【選択図】    図２
2006187456.tif 000002
【特許請求の範囲】
【請求項１】
被検者の体腔内に導入された場合に当該体腔内を撮像することによって画像信号を得て外部へ無線送信する回路を内蔵したカプセル内視鏡であって、
電源と、
電源と前記回路を構成する回路部品との間に設けられる電源電流供給線の途中に介在し、光を受光するまでは前記電源電流供給線を電気的に開けておくとともに、光を受光した以降は前記電源電流供給線を電気的に閉じる電源スイッチ回路と、
前記回路，電源及び電源スイッチ回路とを液密に覆うとともに前記電気スイッチ回路に受光される光を透過させるカプセルとを
備えたことを特徴とするカプセル内視鏡。
【請求項２】
前記電源スイッチ回路は、
前記電源電流供給線の途中に介在しているサイリスタと、
前記サイリスタのゲートに接続されることにより、光を受光した時のみ前記サイリスタに対してゲートトリガ電流を印加する受光素子とを含む
ことを特徴とする請求項１記載のカプセル内視鏡。
【請求項３】
特定波長帯域の光のみを透過する光フィルタが前記受光素子に入射する光の光路上に設けられている
ことを特徴とする請求項２記載のカプセル内視鏡。
【請求項４】
前記サイリスタはトライアックである
ことを特徴とする請求項２または３のいずれかに記載のカプセル内視鏡。
【発明の詳細な説明】
【技術分野】
【０００１】
本発明は、被検者の体腔内を撮影することによって得た画像信号を被検者の外部へ無線にて送信するカプセル内視鏡に、関する。
【背景技術】
【０００２】
周知のとおり、被検者の消化管を経口的に観察するためのシステムとして、電子内視鏡システムがある。この電子内視鏡システムは、被検体の撮像を行う撮像装置がその先端に組み込まれている可撓管状の挿入部を有する電子内視鏡と、この電子内視鏡から出力される画像信号のプロセシングを行うためのプロセッサ装置と、プロセッサ装置によってプロセシングを施された画像信号に基づく画像を表示するモニタとを、備えている。このような電子内視鏡システムを用いて実際に被検者の消化管を観察する際には、電子内視鏡の挿入部を経口的に被検者の体腔（消化管）内に導入しなくてはならないが、被検者にとって、挿入部を構成する管が咽喉に差し込まれた状態は、多大なる苦痛を伴うものであって、耐え難いものであった。
【０００３】
そこで、近年、電子内視鏡の挿入部を咽喉部に差し込まれることに因る被検者の苦痛を無くすために、被検者が嚥下することにより被検者者の体腔内（消化管内）に導入されるカプセル内視鏡と、被検者の体外に配置されるプロセッサ装置及びモニタとからなるカプセル内視鏡システムが、開発されている。
【０００４】
このカプセル内視鏡は、対物光学系及び撮像素子との組合せからなるとともに被検者の体腔内を撮像することによって画像信号を生成する撮像装置と、複数のＬＥＤからなるとともに撮像装置によって撮像される範囲に対して照明光を照射する照明装置と、撮像装置に対する制御信号を受信したり撮像装置が被写体を撮像することによって得られた画像信号を搬送波に乗せて送信する送信装置と、これらの装置を制御する制御回路と、これら装置に含まれる回路及び制御回路に駆動電流を供給するバッテリーとを、カプセルによって液密に覆った構成を有している。
【０００５】
また、このカプセル内視鏡システムにおけるプロセッサ装置は、被検者の身体を透過する搬送波に乗せて、カプセル内視鏡に対して制御信号を送信したり、カプセル内視鏡から送信された画像信号を受信する。そして、プロセッサ装置は、受信した画像信号に対して各種の処理を施すことによって、体腔内の画像をモニタ上に表示させる。
【０００６】
このようなカプセル内視鏡システムによると、被検者が小さなカプセル内視鏡を飲み込むだけで体腔内を撮像することができるので、被検者の苦痛を伴わずに被検者の体腔内（消化管の内壁）を観察することができる。（例えば、特許文献１参照）
【特許文献１】特開２００３−２１０３９５号公報
【発明の開示】
【発明が解決しようとする課題】
【０００７】
このようなカプセル内視鏡システムに用いられるカプセル内視鏡において、カプセルは、内蔵する各種装置や回路を体腔内の環境から保護するために、液密に密封されていなければならない。その一方、カプセルに内蔵されるバッテリーの容量には制限があるので、バッテリーと各回路部品との間の電源電流供給線の途中に電源電流を遮断するためのスイッチを介在させ、被検者の体腔内に導入する直前までこのスイッチを開けておき、導入直前にこのスイッチを閉じることによって各回路部品に駆動電流を供給する必要がある。これら相対立する二つの要求を両立させるために、Ｏリングを介してカプセルを貫く押しボタンに連動する電源スイッチを設ける例もあるが、より完全に液密にするには、カプセル自体から可動部を無くし、このカプセルを透過するエネルギーをカプセル外から加えることによって、カプセル内に設けられたスイッチを閉じることが望ましい。しかも、押しボタンにスイッチを連動させる構成は、カプセル内視鏡を落下させた場合に加わる衝撃等の力学的影響に因って誤動作を起こす可能性もあるので、好ましいものではない。そのため、上記特許文献１に記載されたカプセル内視鏡では、カプセル外から磁力を加えることによってスイッチを閉じる構成を採用している。
【０００８】
しかしながら、このようにして磁力をカプセル内視鏡に加えるとなると、磁力には電子の運動を変化させる作用があるので、スイッチ以外の回路を防磁する必要が生じてしまう。その結果、カプセル内視鏡の製造工程がより煩雑になって、その製造コストが高騰してしまうという問題を生じてしまう。
【０００９】
本発明は、上述した問題点に鑑みてなされたものであり、その課題は、電源スイッチ以外の回路に影響を及ぼす力を用いることなく、回路を液密に覆うカプセルの外部からの操作によって電源スイッチを投入することができるカプセル内視鏡を、提供することである。
【課題を解決するための手段】
【００１０】
上記の課題を解決するために案出された本発明のカプセル内視鏡は、被検者の体腔内に導入された場合に当該体腔内を撮像することによって画像信号を得て外部へ無線送信する回路を内蔵したカプセル内視鏡であって、電源と、電源と前記回路を構成する回路部品との間に設けられる電源電流供給線の途中に介在し、光を受光するまでは前記電源電流供給線を電気的に開けておくとともに、光を受光した以降は前記電源電流供給線を電気的に閉じる電源スイッチ回路と、前記回路，電源及び電源スイッチ回路とを液密に覆うとともに前記電気スイッチ回路に受光される光を透過させるカプセルとを、備えたことを特徴とする。
【００１１】
このように構成されると、電源と回路部品との間の電源電流供給線の途中で駆動電流を断続する電源スイッチ回路は、カプセルを透過する光を通じて、カプセル外から操作可能である。従って、カプセルは、電源スイッチ回路によって受光される光を通しさえすれば足りるので、可動部を一切必要とせず、高度に液密性が保たれる。また、光は、磁力と異なり、電源スイッチ回路以外の回路には何ら影響を及ぼすことがないので、撮像装置が必要とする通常の遮光手段の他、何ら特別な遮光手段を必要としない。よって、カプセル内視鏡の製造工程が煩雑になることも、その製造コストが高騰することもない。
【発明の効果】
【００１２】
本発明によるカプセル内視鏡においては、カプセルを透過する光を通じて電源スイッチ回路が操作されるので、内部の回路がカプセルによって液密に保たれつつ、電源スイッチ回路以外の回路がこれによって影響を受けることない。
【発明を実施するための最良の形態】
【００１３】
以下、図面に基づいて本発明の実施形態を説明する。
【００１４】
本実施形態におけるカプセル内視鏡１は、経口的に被検者の体腔内に導入されて体腔内を撮像するとともに、体腔内を撮像することによって得た画像信号を被検者の体外に設置されたプロセッサ装置へ無線送信するものである。
【００１５】
図１は、このカプセル内視鏡１の内部構成を表すためにその中心軸に沿った縦断面を示す断面図である。なお、以下の説明を簡単にするために、図１の左側を「前側」とし、図１の右側を「後側」と定義する。
【００１６】
図１に示されるように、このカプセル内視鏡１は、各回路部品を収納する筒状のフレーム２０と、このフレーム２０内に収納される撮像ユニット（観察手段）２１と、バッテリーケース２２と、このバッテリーケース２２の後端面に実装された送信回路（通信手段）２３と、電源スイッチ回路（起動手段）２４と、この電源スイッチ回路２４を構成するフォトダイオード２４２（図２〜図４参照）の受光面を覆う光学フィルタ２５と、これら各部品をその内部に収納して保護するためのカプセル１０とからなる。
【００１７】
カプセル１０は、後端部が半球状に窄まった円筒状の胴部１０１と、胴部１０１の前端に液密に取り付けられた半球状の透明カバー１０２とからなる。この胴部１０１は、耐酸性を有する不透明な樹脂から形成され、その後端の中心に円形の貫通穴１０１ａが穿たれており、この貫通孔１０１ａの周囲が、平面状にカットされている。そして、この貫通孔１０１ａには、耐酸性を有する透明樹脂からなる蓋（起動光入射窓）１０３が、液密に嵌め込まれている。この起動光入射窓１０３の外面は、胴部１０１の外面と連続して、半球面を形成している。従って、カプセル１０は、全体として所謂カプセル型の形状を呈している。なお、透明カバー１０２も、耐酸性を有する透明樹脂からなり、撮像ユニット２１の対物光学系２１２から被写体までの距離を適度に保つドームポートとしての役割を有する。
【００１８】
フレーム２０は、円筒形の回路板であり、その内部において撮像ユニット２１及びバッテリーケース２２を保持する。また、このフレーム２０の内周面には、撮像ユニット２１，送信回路２３，及び電源スイッチ回路２４を電気的に接続して各種信号及び電源電流を伝達するための回路パターンが、プリントされている。      
【００１９】
撮像ユニット２１は、体腔内の像を撮像するユニットであり、発光ダイオード２１１，対物光学系２１２，鏡筒２０２，イメージセンサ２１３，各種回路部品２１４，及び撮像用基板２１５からなる。
【００２０】
鏡筒２０２は対物光学系２１２及び発光ダイオード２１１をフレーム２０内に保持するための枠であり、フレーム２０よりも僅かにその半径が小さい円柱形状を有している。この鏡筒２０２は、その前端面がフレーム２０の前縁から若干凹むように、フレーム２０内に固定されている。この鏡筒２０２には、その中心軸に沿って対物レンズ用保持孔２０２ａが貫通しており、この対物レンズ用保持孔２０２ａを挟んで点対称な二箇所に夫々発光ダイオード用固定穴２０２ｂが穿たれている。鏡筒２０２上の対物レンズ用保持孔２０２ａには対物光学系２１２を構成する複数のレンズが、また、各発光ダイオード用固定穴２０２ｂには、夫々発光ダイオード２１１が、嵌め込まれる。
【００２１】
各発光ダイオード２１１としては、白色光を発光する高輝度タイプの発光ダイオードが用いられている。各発光ダイオード２１１は、電源スイッチ回路２４，フレーム内周面上の回路パターン及び撮像用基板２１５を通じて、バッテリーケース２２中のバッテリー２２０からの駆動電流が供給されることによって発光し、カプセル内視鏡１が体腔内に導入された時には、体腔内を照明する。
【００２２】
対物光学系２１２は、体腔内の像を結ぶための光学系であって、その光軸が透明カバー１０２の中心軸と同軸となるように、鏡筒２０２の対物レンズ用保持孔２０２ａ内に固定されている。
【００２３】
イメージセンサ２１３は、対物光学系２１２によってその撮像面上に結ばれた像を光電変換するＣＣＤ等の撮像素子であり、体腔内の像を電気信号に変換する。なお、このイメージセンサ２１３は、対物光学系２１２が体腔内の像を結ぶ位置にその撮像面が来るように、配置されている。なお対物光学系２１２及びイメージセンサ２１３が撮像装置に相当する。
【００２４】
撮像用基板２１５は、イメージセンサ２１３と各種回路部品２１４とを実装することにより、これらの回路部品を電気的に接続するとともに機械的に保持するプリント基板である。撮像用基板２１５は、フレーム２０よりも僅かにその径が小さく扁平な円柱形状を有し、鏡筒２０２の後端面に同軸に接着されている。従って、フレーム２０の内部に撮像ユニット２１が保持された状態では、フレーム２０の内周面に撮像用基板２１５の外周面が接する。撮像用基板２１５における鏡筒２０２に接着された面の中央にはイメージセンサ２１３が、この面と対向する面の中央には各種回路部品２１４が、夫々実装されている。また、この撮像用基板２１５上に形成された回路パターンには、鏡筒２０２内を各発光ダイオード用固定穴２０２ｂまで貫いた２組のリード２１６が繋がれている。発光ダイオード２１１は、このリード２１６を通じて電気的に撮像用基板２１５と繋がれ、この撮像用基板２１５上の回路パターン及びリード２１６を通じて駆動電流の供給を受ける。さらに、この撮像用基板２１５における画像処理回路２１４が実装されている面の裏側の後端面には、後述するバッテリー２２０の陽極と接触する電極である陽極接触部２２１が実装されている。
【００２５】
バッテリーケース２２は、フレーム２０よりも僅かにその径が小さい有底円筒形状を有する絶縁体である。バッテリーケース２２は、その内側の空間にバッテリー２２０（電力供給手段に相当）を収納し、その開口端を撮像用基板２１５に向けて、フレーム２０の内部に挿入されている。この状態では、フレーム２０の内周面にバッテリーケース２２の外周面が接する。このバッテリーケース２２内部の底面には、バッテリー２２０の陰極と接触するバネ状の電極である陰極接触部２２２が、実装されている。また、このバッテリーケース２２の後端面には、送信回路２３及び電源スイッチ回路２４が実装されている。なお、陰極接触部２２２は、電源スイッチ回路２４を介して、各回路部品のグランド電極に導通している。例えば、バッテリーケース２２上に形成された回路パターンを通じて送信回路２３のグランド電極に、バッテリーケース２２上の回路パターン，フレーム２０上の回路パターン及び撮像用基板２１５上に形成された回路パターンを通じて、撮像用基板２１５における各種回路部品２１４，イメージセンサ２１３，及び、各発光ダイオード２１１の各グランド電極に、夫々導通している。なお、これら各回路部品の電源電極は、夫々、各回路パターンを通じて、夫々、撮像用基板２１５上の回路パターン（並びに、フレーム２０上の回路パターン及びバッテリーケース２２上の回路パターン）を通じて、陽極接触部２２１に導通している。
【００２６】
送信回路２３は、イメージセンサ２１３から入力された画像信号を、予め割り当てられた周波数帯域の搬送波に乗せ（変調）、増幅等の処理を施した上で、アンテナから無線送信する回路部品である。
【００２７】
電源スイッチ回路２４は、図２の回路図に示す構成を有する光スイッチである。図２は、カプセル内視鏡１内の各回路部品に電源電流を供給するための電源供給線の配線を示す概略回路図であり、上述した各種回路部品２１４，イメージセンサ２１３，各発光ダイオード２１１，送信回路２３は、「回路系２６」として概括されている。図２に示すように、電源スイッチ回路２４は、サイリスタ２４１及びこのサイリスタ２４１を起動する光源変換回路２４０から構成されている。その具体的構成例を挙げるならば、図３に示すように、そのカソードが陰極接触部２２２を通じてバッテリー（電源）２２０の陰極に接続されているとともにそのアノードが回路系２６のグランド電極に接続されているサイリスタ（ＳＣＲ）２４１と、このサイリスタ２４１のカソードとゲートとの間に順方向に直列接続されたバイアス電源２４３及びフォトダイオード２４２とから、構成されている。従って、このフォトダイオード２４２が受光をしていない場合には、このフォトダイオード２４２は、バイアス電源２４３サイリスタ２４１のゲートに印加されるべきゲートトリガ電流を遮断するので、サイリスタ２４１のカソード−アノード間も電流を流さず、その結果、回路系２６に駆動電流が供給されることはない。これに対して、フォトダイオード２４２が所定値以上の光を受光すると、バイアス電源２４３からのゲートトリガ電流をサイリスタ２４１のゲートに印加するので、サイリスタ２４１のカソード−アノード間が電流を流し得る状態となり、その結果、回路系２６にバッテリー２２０からの駆動電流が供給される。なお、光フィルタ２５は、特定の波長の光（起動光）のみを透過してフォトダイオード２４２に受光させるためのフィルタであり、例えば、７００〜１５００ｎｍの波長帯域の光を透過する。
【００２８】
このようなカプセル内視鏡１を組み立てるには、組立作業者は、予め、撮像ユニット２１を組み立てておくとともに、バッテリーケース２２に送信器２３及び電源スイッチ回路２４を実装しておく。そして、組立作業者は、この撮像ユニット２１とバッテリー２２を収容したバッテリーケース２２とを、フレーム２０内に挿入して、夫々の回路パターン同士を導通させる。さらに、組立作業者は、このフレーム２０を、起動光入射窓１０３を固着済みの胴部１０１内に収納する。この状態で、透明カバー１０２の縁を、胴部１０１の前縁に液密に固定することにより、カプセル内視鏡１の組立作業が完了する。なお、この作業は、起動光が存在しない環境下で行われるので、意に反して電源スイッチ回路２４がＯＮとなることはない。しかも、完成したカプセル内視鏡１は、直ちに遮光袋に封入されるので、それ以降も、電源スイッチ回路２４がＯＮとなることはない。カプセル内視鏡１は、この状態で、工場から出荷される。
【００２９】
術者は、カプセル内視鏡１を用いて被検者の体腔内（消化管内）を検査しようとする場合には、カプセル内視鏡１を遮光袋から取り出して、その起動光入射窓１０３から起動光を入射する。すると、上述したようにして電源スイッチ回路２４がＯＮ（サイリスタ２４１のアノード−カソード間に電流が流れ得る状態）となるので、画像処理回路２１４，イメージセンサ２１３，各発光ダイオード２１１，送信回路２３に対して、バッテリー２２０からの電源電流が供給される。その結果、これら回路部品が所定の機能を果たすことによって、体腔内の画像を示す画像信号が、図示せぬプロセッサ装置へ無線送信される。なお、一旦電源スイッチ回路２４がＯＮ（サイリスタ２４１のアノード−カソード間に電流が流れ得る状態）となると、サイリスタのゲート部への電流供給が途絶えても電源スイッチ回路２４はＯＦＦにはならない。よって、術者が、このカプセル内視鏡１を被検者体腔内に導入することによって起動光入射窓１０３に入射する起動光が無くなってしまっても、電源スイッチ回路２４は、駆動電流を流し続ける。
【００３０】
以上のように構成された本実施形態のカプセル内視鏡１によると、電源スイッチ回路２４を作動させるためにカプセル１０の外から起動光入射窓１０３を通してカプセル１０の内部に入射される起動光を用いているので、カプセル１０には何ら可動部を設ける必要がなく、カプセル１０自体を液密に保つことができる。しかも、磁気等を用いた場合と異なり、起動光は電源スイッチ回路２４以外の電気回路には、何ら影響を及ぼすことがない。
【実施形態２】
【００３１】
本発明の第２実施形態は、上述した第１実施形態における図２と比較して、電源スイッチ回路２４におけるサイリスタ（ＳＣＲ）２４１を図４の概略回路図に示すように、トライアック２４４に置き換えたものである。サイリスタ２４１及びこのサイリスタ２４１を起動する光源変換回路２４０から構成されている。より具体的な回路構成を示すならば、図５の詳細回路図に示す通りとなる。このトライアック２４４は、バイアス電源２４３及びフォトダイオード２４２の接続の仕方が図３のものと同じである限り、図３のトライアック（ＳＣＲ）２４１と同じ動作を行う。従って、本第２実施形態における電源スイッチ回路２４も、上述した第１実施形態における電源スイッチ回路２４と全く同じ動作を行う。本第２実施形態におけるその他の構成及び動作は、上述した第１実施形態のものと全く同じであるので、その説明を省略する。
【実施形態３】
【００３２】
本発明の第３実施形態は、上述した第２実施形態と同様に図４の概略回路図に示す回路構成を有するものであるが、その具体的な回路構成を示す図６の詳細回路図に示されているように、図５と比較し、バイアス電源２４３及びフォトダイオード２４２を極性が逆向きとなるように接続することにより、トライアック２４４に対するゲートトリガ電流の向きを逆にしたことを特徴としている。トライアック２４４の特性により、このようにしてゲートトリガ電流の向きを逆にしたとしても、トライアック２４４は、上述した第２実施形態のものと全く同様に動作する。本第３実施形態におけるその他の構成及び動作は、上述した第１実施形態のものと全く同じであるので、その説明を省略する。
【図面の簡単な説明】
【００３３】
【図１】本発明の第１の実施の形態であるカプセル内視鏡の縦断面図
【図２】電源スイッチ回路を介して駆動電流を供給する回路構成を示す概略回路図
【図３】回路構成の詳細回路図
【図４】本発明の第２の実施の形態における回路構成を示す概略回路図
【図５】回路構成の詳細回路図
【図６】本発明の第３の実施の形態における回路構成を示す詳細回路図
【符号の説明】
【００３４】
１        カプセル内視鏡
１０        カプセル
２２        バッテリー
２３        送信回路
２４        電源スイッチ回路
２６        回路系
１０３        起動光入射窓
２１１        発光ダイオード
２１３        撮像素子
２１４        画像処理回路
【図１】
2006187456.tif 000003
【図２】
2006187456.tif 000004
【図３】
2006187456.tif 000005
【図４】
2006187456.tif 000006
【図５】
2006187456.tif 000007
【図６】
2006187456.tif 000008
【手続補正書】
【提出日】平成17年9月12日(2005.9.12)
【手続補正１】
【補正対象書類名】明細書
【補正対象項目名】０００３
【補正方法】変更
【補正の内容】
【０００３】
そこで、近年、電子内視鏡の挿入部を咽喉部に差し込まれることに因る被検者の苦痛を無くすために、被検者が嚥下することにより被検者の体腔内（消化管内）に導入されるカプセル内視鏡と、被検者の体外に配置されるプロセッサ装置及びモニタとからなるカプセル内視鏡システムが、開発されている。
【手続補正２】
【補正対象書類名】明細書
【補正対象項目名】００２４
【補正方法】変更
【補正の内容】
【００２４】
撮像用基板２１５は、イメージセンサ２１３と各種回路部品２１４とを実装することにより、これらの回路部品を電気的に接続するとともに機械的に保持するプリント基板である。撮像用基板２１５は、フレーム２０よりも僅かにその径が小さく扁平な円柱形状を有し、鏡筒２０２の後端面に同軸に接着されている。従って、フレーム２０の内部に撮像ユニット２１が保持された状態では、フレーム２０の内周面に撮像用基板２１５の外周面が接する。撮像用基板２１５における鏡筒２０２に接着された面の中央にはイメージセンサ２１３が、この面と対向する面の中央には各種回路部品２１４が、夫々実装されている。また、この撮像用基板２１５上に形成された回路パターンには、鏡筒２０２内を各発光ダイオード用固定穴２０２ｂまで貫いた２組のリード２１６が繋がれている。発光ダイオー
ド２１１は、このリード２１６を通じて電気的に撮像用基板２１５と繋がれ、この撮像用基板２１５上の回路パターン及びリード２１６を通じて駆動電流の供給を受ける。さらに、この撮像用基板２１５における各種回路部品２１４が実装されている面の裏側の後端面には、後述するバッテリー２２０の陽極と接触する電極である陽極接触部２２１が実装されている。
【手続補正３】
【補正対象書類名】明細書
【補正対象項目名】００２７
【補正方法】変更
【補正の内容】
【００２７】
電源スイッチ回路２４は、図２の回路図に示す構成を有する光スイッチである。図２は、カプセル内視鏡１内の各回路部品に電源電流を供給するための電源供給線の配線を示す概略回路図であり、上述した各種回路部品２１４，イメージセンサ２１３，各発光ダイオード２１１，送信回路２３は、「回路系２６」として概括されている。図２に示すように、電源スイッチ回路２４は、サイリスタ２４１及びこのサイリスタ２４１を起動する光電変換回路２４０から構成されている。その具体的構成例を挙げるならば、図３に示すように、そのカソードが陰極接触部２２２を通じてバッテリー（電源）２２０の陰極に接続されているとともにそのアノードが回路系２６のグランド電極に接続されているサイリスタ
（ＳＣＲ）２４１と、このサイリスタ２４１のカソードとゲートとの間に順方向に直列接続されたバイアス電源２４３及びフォトダイオード２４２とから、構成されている。従って、このフォトダイオード２４２が受光をしていない場合には、このフォトダイオード２４２は、バイアス電源２４３サイリスタ２４１のゲートに印加されるべきゲートトリガ電流を遮断するので、サイリスタ２４１のカソード−アノード間も電流を流さず、その結果、回路系２６に駆動電流が供給されることはない。これに対して、フォトダイオード２４２が所定値以上の光を受光すると、バイアス電源２４３からのゲートトリガ電流をサイリスタ２４１のゲートに印加するので、サイリスタ２４１のカソード−アノード間が電流を流し得る状態となり、その結果、回路系２６にバッテリー２２０からの駆動電流が供給さ
れる。なお、光フィルタ２５は、特定の波長の光（起動光）のみを透過してフォトダイオード２４２に受光させるためのフィルタであり、例えば、７００〜１５００ｎｍの波長帯域の光を透過する．
【手続補正４】
【補正対象書類名】明細書
【補正対象項目名】００３４
【補正方法】変更
【補正の内容】
【００３４】
１        カプセル内視鏡
１０        カプセル
２２        バッテリー
２３        送信回路
２４        電源スイッチ回路
２６        回路系
１０３        起動光入射窓
２１１        発光ダイオード
２１３        撮像素子
２１４        各種回路部品
【手続補正５】
【補正対象書類名】図面
【補正対象項目名】図３
【補正方法】変更
【補正の内容】
【図３】
2006187456.tif 000009
【手続補正６】
【補正対象書類名】図面
【補正対象項目名】図５
【補正方法】変更
【補正の内容】
【図５】
2006187456.tif 000010
【手続補正７】
【補正対象書類名】図面
【補正対象項目名】図６
【補正方法】変更
【補正の内容】
【図６】
2006187456.tif 000011